(57)【要約】【課題】印刷後にオフラインフィニッシング機能を使用した時に印刷に使用された用紙の種類、サイズ、枚数を入力するには手間がかかる。【解決手段】オフラインフィニッシングを行うときに、フィニッシャーが接続されている機械の印刷履歴またはネットワーク上に接続されている機械の印刷履歴から印刷に使用した用紙種類、用紙サイズ、印刷枚数を取得し、指定されたオフラインフィニッシングが可能かどうかを判定する。【選択図】図７
2018180310.tif 000002
【特許請求の範囲】
【請求項１】
画像データを入力する画像データ入力手段と、
前記画像データ入力手段により入力された画像データを印刷する印刷手段と、
後処理のための用紙の種類、サイズ、枚数を入力するための第一の入力手段と、
後処理装置の接続している機械の印刷履歴を表示、選択することにより用紙の種類、サイズ、枚数を入力する第二の入力手段と、
ネットワークを介して接続されている機械の印刷履歴を表示、選択することにより用紙の種類、サイズ、枚数を入力する第三の入力手段と、
前記第一の入力手段、前記第二の入力手段、および前記第三の入力手段のいずれかにより入力された用紙の種類、サイズ、枚数に基づいて、前記ユーザーの指定した後処理が実施できるかを判断する判断手段と、
前記判断手段により後処理できないと判断した場合、ユーザーに対して警告を表示して、後処理の実行を禁止する制御手段と、
を有することを特徴とする画像形成装置。
【発明の詳細な説明】
【技術分野】
【０００１】
本発明は、画像形成装置に関する。
【背景技術】
【０００２】
従来から原稿を読み込むスキャナとスキャナが読み込んだ原稿の画像データを印刷するプリンタを構成としてもつ画像形成装置において、印刷された用紙に対してステイプル、パンチ穴あけ、二つ折り、中綴じ製本などの処理を行う後処理装置を装着することにより印刷物に付加価値をつけることが行われている。
【０００３】
後処理は、通常は画像形成装置で印刷された用紙に対して、印刷時に設定されたモードに応じて実行されるものである。しかしながら近年、ユーザーの利便性を鑑みて、画像形成装置に装着された後処理装置による処理を、印刷時だけでなく、印刷が完了している用紙に対しても実行できるオフラインフィニッシング機能が実現されている。
【０００４】
オフラインフィニッシング機能は、ユーザーが印刷された用紙をインサーターなどの給紙装置にセットして、前述の後処理装置に装着された簡易の操作パネルを操作することにより、印刷された用紙をインサーターから後処理装置に搬送して前述の中綴じ製本やステイプルやパンチなどの後処理を行わせるものである。
【０００５】
オフラインフィニッシング機能を印刷されている用紙に対して正しく行うためには、インサーターにセットする用紙のサイズ、坪量、枚数などが必要になる。後処理として中綴じ製本を行う場合、インサーターにセットされた用紙を後処理まで搬送できるかどうかの判断に用紙の坪量が、中綴じ位置を決定するために用紙のサイズが、中綴じできる厚さを判断するためには用紙の枚数が必要なためである。
【０００６】
このようなオフラインフィニッシング機能を使用するときの用紙の坪量、サイズ、枚数を入力するためには、後処理装置に備え付けられている簡易操作パネルや後処理装置が接続されている画像形成装置本体の操作部を使用する事が可能である。
【０００７】
この用紙の坪量、サイズ、枚数を入力する作業はユーザーにとって煩雑な作業となるため、印刷時に印刷した坪量、サイズ、枚数を予め後処理装置に送信することが考案されている（特許文献１）。
【先行技術文献】
【特許文献】
【０００８】
【特許文献１】特開２０１０−１２２３９２号公報
【発明の概要】
【発明が解決しようとする課題】
【０００９】
しかしながら、ユーザーが印刷に際して後処理を指定しない場合や、複合複写機で印刷していない、他の印刷装置で印刷した物を後処理したい場合などが想定される。例えば印刷終了後にすでに印刷されている用紙を挿入する場合や、すでに印刷されているものを整理するために後処理する場合などは、印刷を行った時点では後処理を考慮していないため、オフラインフィニッシング機能で必要な用紙の坪量、サイズ、枚数を予め送信することはできないという課題がある。
【課題を解決するための手段】
【００１０】
上記の課題を解決するために、本発明に係る画像形成装置は、
前記画像データ入力手段により入力された画像データを印刷する印刷手段と、後処理のための用紙の種類、サイズ、枚数を入力するための第一の入力手段と、後処理装置の接続している機械の印刷履歴を表示、選択することにより用紙の種類、サイズ、枚数を入力する第二の入力手段と、ネットワークを介して接続されている機械の印刷履歴を表示、選択することにより用紙の種類、サイズ、枚数を入力する第三の入力手段と、前記第一の入力手段、前記第二の入力手段、および前記第三の入力手段のいずれかにより入力された用紙の種類、サイズ、枚数に基づいて、前記ユーザーの指定した後処理が実施できるかを判断する判断手段と、前記判断手段により後処理できないと判断した場合、ユーザーに対して警告を表示して、後処理の実行を禁止する制御手段と、を有することを特徴とする。
【発明の効果】
【００１１】
本発明に係る画像形成装置によれば、印刷時に後処理を指定していない用紙であっても、後処理装置の接続されている複合複写機やネットワークで接続されている複合複写機の印刷履歴を選択することで、印刷履歴より用紙の坪量を含む種類、サイズ、枚数を判定することにより、ユーザーが面倒な設定をしなくても正しく後処理が実行できるオフラインフィニッシング機能を実現することができる。
【図面の簡単な説明】
【００１２】
【図１】システム構成図
【図２】画像形成装置の構成図
【図３】画像形成装置のブロック図
【図４】インサーターの構成図
【図５】多機能折機の構成図
【図６】フィニッシャーの構成図
【図７】フローチャート
【図８】オフラインフィニッシング機能の操作画面の図
【図９】オフラインフィニッシングのホチキスの設定画面の図
【図１０】用紙種類のデータ構造の図
【図１１】用紙種類とサイズによる機能禁則のデータ構造の図
【図１２】印刷履歴画面の図
【図１３】ネットワーク上の機器の選択画面
【図１４】オフラインフィニッシングの警告画面の図
【図１５】操作部の構成図
【図１６】操作部のメイン画面
【発明を実施するための形態】
【００１３】
以下、本発明を実施するための形態について図面を用いて説明する。
【００１４】
図１は、本実施形態のシステム構成であり、ネットワーク１０１に複数台の複合複写機（１０２、１０３、１０４）が接続されていることを示したものである。前記複数台の複合複写機のうちの一台である１０２には後処理用のアクセサリが接続されている。
【００１５】
図２は、前記１０２の構成を詳細に記載してものであり、画像の複写を行う複合複写機本体２０１（以下、本体２０１）に、本体２０１で印刷された用紙に対して印刷されていないまたは印刷されている用紙を複数挿入することが可能なインサーター２０２、本体２０１またはインサーター２０２から搬送されてくる用紙を折りたたむための多機能折機２０３、本体２０１またはインサーター２０２、多機能折機２０３を介して搬送されてきた用紙に対してステイプル処理を行い排出するためのフィニッシャー２０４で構成されている。
【００１６】
図３は、本システムの画像データの処理または画像処理に付随する操作情報、センサ情報に関しての処理ブロックを示したものである。
【００１７】
本実施形態において制御の中心となるのはＣＰＵ３０１である。ＣＰＵ３０１はＲＯＭ３０２に格納されている制御プログラムもしくはＲＯＭ３０２の格納されている初期プログラムによって記憶媒体であるＨＤＤ３２１からＩ／Ｏ制御部３１８を介してＤＲＡＭ３０４にロードされた制御プログラムにしたがって図２の各ブロックを制御する。
【００１８】
ネットワーク１０１に接続された複合複写機１０３、複合複写機１０４にも本体２０１に搭載されている図３と同様の処理ブロックを有している。
【００１９】
これによりＣＰＵ３０１はＮｅｔｗｏｒｋ  Ｉ／Ｆ３０５を介して、前述のネットワーク１０１と接続することにより、ネットワーク１０１上に接続された複合複写機１０３、複合複写機１０４と通信を行うことで相互に情報のやり取りを行うことができる。
【００２０】
以下、オフラインフィニッシングの動作を説明する。ＣＰＵ３０１は電源ＯＮ時にＲＯＭ３０２に格納されているブートプログラムによりＨＤＤ３２１からメインプログラムをＤＲＡＭ３０４にロードして、ＤＲＡＭ３０４のプログラムを実行する。
【００２１】
図１５は、操作部Ｉ／Ｆ３２０の構成を示したものであり、ＣＰＵ３０１からＩ／Ｏ制御部３１８経由で転送された画像を表示するＬＣＤパネル１５０４、ＣＰＵ３０１にＩ／Ｏ制御部３１８経由でユーザーのデータ入力を行うためのテンキー１５０５などから構成されている。尚ＬＣＤパネル１５０４は静電式のタッチパネルとなっており、ユーザーがＬＣＤパネル１５０４にタッチすることで、ＬＣＤパネル１５０４上の座標データがＣＰＵ３０１に送信される。
【００２２】
ＬＣＤパネル１５０４の所定の領域が操作されたことをＣＰＵ３０１がＩ／Ｏ制御部３１８経由で送られてきた座標データから検知した時、ＩＯ制御部３１８を経由して操作部Ｉ／Ｆ３２０にオフラインフィニッシング用の画面データを送信してＬＣＤ１５０４上に図８の画面を表示する。
【００２３】
ユーザーは用紙サイズ８０１、用紙種類８０２、枚数８０３に入力を行い、後処理であるホチキス８０６、Ｚ折り８０７、Ｃ折り８０８、パンチ穴８０９を選択することによりオフラインフィニッシングの設定を行い、設定されたデータはＣＰＵ３０１に通知される。
【００２４】
図４は、先に説明したフィニッシャー２０２の詳細な構成であり、図３のブロック図のインサーター３１２に対応している。フィニッシャーの各部分の制御はＣＰＵ３１３が行う。同様に図５は多機能折機２０３、図６はフィニッシャー２０４の詳細な構成であり、それぞれＣＰＵ３１７、ＣＰＵ３１５が各部分を制御する。ＣＰＵ３１３、ＣＰＵ３１５、ＣＰＵ３１７は本体２０１を制御するためのＣＰＵ３１０とプリンタＩ／Ｆ３０６、Ｉ／Ｏ制御部３１８にあるシリアル通信コントローラ３１９を介してＣＰＵ３０１と通信を行うことができる。
【００２５】
ＬＣＤ１５０４で用紙サイズ８０１、用紙種類８０２、枚数８０３と前述の後処理を設定した後、ユーザーが後処理をしたい用紙をインサーター４００のトレイ４０１、トレイ４０２に置くと、インサーター４００のセンサー４０３、センサー４０５、センサー４０６がトレイ４０１、トレイ４０２上に用紙があることをＣＰＵ３０１に通知する。
【００２６】
ＣＰＵ３０１はトレイ４０１、トレイ４０２上に用紙があることを検知すると、Ｉ／Ｏ制御部３１８経由で操作部３２０から送られてくるスタートキー１５０９の情報を元に、先に通知されてきたホチキス８０６、Ｚ折り８０７、Ｃ折り８０８、パンチ穴８０９の設定で後処理を実行する。
【００２７】
ＣＰＵ３０１はインサーター４００のＣＰＵ３１３に対してトレイ４０１またはトレイ４０２上の用紙を搬送するように指示する。
【００２８】
ＣＰＵ３１３は用紙リフタ４０４、用紙リフタ４０７により、トレイ４０１、トレイ４０２上の用紙を持ち上げて、ピックアップローラー４１６、ピックアップローラー４１７でトレイ４０１、トレイ４０２上の用紙を引き込み、搬送ローラ４０８，４０９、４１０、４１２、４１３、４１５で搬送する。
【００２９】
ＣＰＵ３０１は先に通知されてきた後処理の指定でＺ折り８０７、Ｃ折り８０８が指定されていた場合、多機能折機５００のＣＰＵ３１７に対してＣ折またはＺ折のモードをＩ／Ｏ制御部３１８のシリアル通信コントローラ３１９、プリンタのＣＰＵ３１０経由でモードの設定を通知する。
【００３０】
ＣＰＵ３０１から後処理のモードの設定を通知された多機能折機５００のＣＰＵ３１７はフラッパ５０２を制御することによりインサーター４００から搬送されてきた用紙を搬送ローラー５０１、搬送ローラー５０３を経由して折りユニット５０４に搬送されるようにする。
【００３１】
インサーター４００から搬送されてきた用紙は折りユニット５０４にて、ＣＰＵ３１７がＣＰＵ３０１から通知されたモードに従って折りが行われ、専用排紙ユニット５０５に排紙される。
【００３２】
ＣＰＵ３０１は先に通知されてきた後処理の指定でホチキス８０６、パンチ穴８０９が設定されていた場合、多機能折機５００のＣＰＵ３１７、フィニッシャー６００のＣＰＵ３１５に対してＣ折またはＺ折のモードをＩ／Ｏ制御部３１８のシリアル通信コントローラ３１９、プリンタのＣＰＵ３１０経由でモードの設定を通知する。このときＣＰＵ３０１は多機能折機５００に対しては折の後処理がないことを通知する。
【００３３】
多機能折機５００のＣＰＵ３１７はＣＰＵ３０１から折のモード設定がないことを通知されることにより、フラッパ５０２を制御することでインサーター４００から搬送されてきた用紙を搬送ローラー５０１、５０６によりフィニッシャー６００に搬送する。
【００３４】
フィニッシャー６００のＣＰＵ３１５はＣＰＵ３０１から通知された後処理のモードであるホチキス８０６の指定またはパンチ穴８０９にしたがって、多機能折機５００から搬送されてきた用紙を搬送ローラー６０２で引き込み、スタック部６１２に積載させ、中綴じステイプルユニット６１３で積載した用紙の半分にホチキスを行った後、中折りユニット６０４と排紙ローラー６０５で排紙スタッカー部６０６に排紙を行う。
【００３５】
前述のようにＣＰＵ３０１は操作部Ｉ／Ｆ３２０のＬＣＤパネル１５０４に表示されている図８の画面のホチキス８０６、Ｚ折り８０７、Ｃ折り８０８、パンチ穴８０９をユーザーが押下することにより設定される後処理に応じてインサーター４００のＣＰＵ３１３、多機能折機５００のＣＰＵ３１７、フィニッシャー６００のＣＰＵ３１５に設定を通知することにより後処理を行うが、この時ユーザーにより設定される用紙サイズ８０１、用紙種類８０２、枚数８０３を用いて、各搬送ローラーで搬送できる用紙か、折が可能な用紙サイズか、ホチキスできる枚数かを判定する。
【００３６】
以下、図７のフローチャートを用いてユーザーの設定と後処理の可否判定に関して説明する。
【００３７】
電源ＯＮ時、ＣＰＵ３０１はＩ／Ｏ制御部３１８を介して操作部Ｉ／Ｆ３２０に対して図１６の画面データを転送する。操作部Ｉ／Ｆ３２０は転送されてきた図１６の画面データをＬＣＤパネル１５０４に表示する。
【００３８】
ＣＰＵ３０１は操作部Ｉ／Ｆ３２０に図１６の画面データを表示させた後ユーザーからの入力待ち状態に入る（７０２）。この状態でユーザーがＬＣＤパネル１５０４でオフラインフィニッシング１６０１を押下すると、操作部Ｉ／Ｆ３２０はＩ／Ｏ制御部３１８を介してＣＰＵ３０１に通知を行う。
【００３９】
ＣＰＵ３０１は図１６のオフラインフィニッシング１６０１が押下された通知を操作部Ｉ／Ｆ３２０から受信すると、ＤＲＡＭ３０４に格納されているプログラムに応じて、ＬＣＤパネル１５０４に表示するオフラインフィニッシングモード設定用の画面データを作り、Ｉ／Ｏ制御部３１８を経由して、操作部Ｉ／Ｆ３２０へ送信する。
【００４０】
操作部Ｉ／Ｆ３２０はＣＰＵ３０１から送信されてきた画像データを元にＬＣＤパネル１５０４に図８のオフラインフィニッシングモード設定画面８００を表示する（７０３、７０４）。
【００４１】
オフラインフィニッシングモード設定画面８００はオフラインフィニッシングに使用するインサーター４００のトレイ４０１、トレイ４０２に積載された用紙の情報である用紙サイズ８０１、用紙種類８０２、枚数８０３と、インサーターのトレイ４０１、トレイ４０２に積載された用紙に対して多機能折機５００で折処理を行うか、フィニッシャー６００でホチキス処理やパンチ処理を行うかを指定するためのホチキス８０６、Ｚ折り８０７、Ｃ折り８０８、パンチ穴８０９のモード指定と、ＣＰＵ３０１によってＨＤＤ３２１に保存された印刷履歴を表示するための本体の印刷履歴表示スイッチ８０４、とＣＰＵ３０１がＮｅｔｗｏｒｋ  Ｉ／Ｆ３０５で図１のネットワーク上にある複合複写機１０３、１０４に保存されている印刷履歴を取得して表示するための他機種の印刷履歴表示スイッチ８０５から構成されている。
【００４２】
本体の印刷履歴表示スイッチ８０４がユーザーにより押下されたことを操作部Ｉ／Ｆ３２０経由でＣＰＵ３０１が検知すると（７０５）、ＣＰＵ３０１はＨＤＤ３２１に保存された印刷履歴をＩ／Ｏ制御部３１８経由で取得し（７１８）、Ｉ／Ｏ制御部３１８で操作部Ｉ／Ｆ３２０に転送することによりＬＣＤパネル１５０４に図１２の印刷履歴画面１２００を表示する（７１９）。
【００４３】
ユーザーがＬＣＤパネル１５０４に表示された印刷履歴画面１２００から印刷履歴１２０１のいずれかを選択すると、操作部Ｉ／Ｆ３２０は選択された印刷履歴をＣＰＵ３０１に転送し、ＣＰＵ３０１は転送されてきた印刷履歴からオフラインフィニッシングに使用する用紙としての用紙のサイズ、種類、枚数を抽出し、用紙サイズ８０１、用紙種類８０２、枚数８０３に入力する（７２０、７２１）。
【００４４】
他機種の印刷履歴スイッチ８０５がユーザーにより押下されたことを操作部Ｉ／Ｆ３２０経由でＣＰＵ３０１が検知すると（７０６）、ＣＰＵ３０１はＮｅｔｗｏｒｋ  Ｉ／Ｆ３０５を経由して、ネットワーク１０１上にある複合複写機１０３、１０４のようにネットワーク１０１上にある複合複写機を検索する。
【００４５】
ＣＰＵ３０１は検出した複合複写機の情報を操作部Ｉ／Ｆ３２０に送信し、操作部Ｉ／Ｆ３２０はＬＣＤパネル１５０４上に図１３のネットワーク接続機器一覧１３００の形でユーザーに表示する（７１３）。
【００４６】
ユーザーがネットワーク接続機器一覧１３００の機器リスト１３０１の中からひとつを選択すると（７１３）、ＣＰＵ３０１は選択された複合複写機の印刷履歴をＮｅｔｗｏｒｋ  Ｉ／Ｆ３０５を経由して取得する（７１４）。
【００４７】
ＣＰＵ３０１は取得した複合複写機の印刷履歴を前述と同じように印刷履歴画面１２００として、操作部Ｉ／Ｆ３２０を介してＬＣＤパネル１５０４に表示する（７１５）。
【００４８】
ユーザーは本体の印刷履歴表示スイッチ８０４を押下した時と同様に、印刷履歴画面１２００から印刷履歴１２０１のいずれかを選択し、ＣＰＵ３０１は前述と同様に選択された印刷履歴の情報からオフラインフィニッシングに使用する用紙としての用紙のサイズ、種類、枚数を抽出し、用紙サイズ８０１、用紙種類８０２、枚数８０３に入力する（７１６、７１７）。
【００４９】
ユーザーが前述のオフラインフィニッシングモード設定画面８００で本体の印刷履歴表示スイッチ８０４、他機種の印刷履歴表示スイッチ８０５を押下しない場合、ユーザーは用紙サイズ８０１、用紙種類８０２を押下した時に表示されるメニューから用紙サイズと用紙種類を選択すること、図１５の操作部のテンキー１５０５を使用して数字入力をすることにより、用紙サイズ８０１、用紙種類８０２、枚数８０３を設定することがでる。
【００５０】
前述のように用紙サイズ８０１、用紙種類８０２、枚数８０３に入力された値はＣＰＵ３０１によりＤＲＡＭ３０４に保存される。
【００５１】
ユーザーはオフラインフィニッシング設定画面８００のホチキス８０６、Ｚ折り８０７、Ｃ折り８０８、パンチ穴８０９を押下することでトレイ４０１、トレイ４０２上の用紙に対してオフラインフィニッシングのモードを指定することができる（７０８）。
【００５２】
ユーザーがホチキス８０６を選択した場合、操作部Ｉ／Ｆ３２０はＣＰＵ３０１に対してＩ／Ｏ制御部３１８経由で通知を行い、ＣＰＵ３０１はホチキス詳細設定画面９００をＩ／Ｏ制御部３１８、操作部Ｉ／Ｆ３２０を介してＬＣＤパネル１５０４に表示する。
【００５３】
ＬＣＤパネル１５０４に表示されたホチキス詳細設定画面９００はトレイ４０１、トレイ４０２から給紙される用紙に対してのホチキス位置の詳細設定画面であり、用紙の角にホチキスを打つコーナー設定ボタン９０１、用紙の搬送方向に対して垂直の辺に２つのホチキスを打つダブル設定ボタン９０２、用紙の搬送方向の半分の位置に搬送方向に対して垂直に２つのホチキスを打つ中綴じ設定ボタン９０３などから構成されている。
【００５４】
ユーザーはホチキス詳細設定画面９００でコーナー設定ボタン９０１、ダブル設定ボタン９０２、中とじ設定ボタン９０３を押下し、ＯＫキー９０４を押下することで、操作部Ｉ／Ｆ３２０を介してＣＰＵ３０１にホチキス位置の設定を通知する。
【００５５】
同様にユーザーはオフラインフィニッシング設定画面８００上のＺ折り８０７、Ｃ折り８０８、パンチ穴８０９を押下することで、操作部Ｉ／Ｆ３２０を介してＣＰＵ３０１にオフラインフィニッシングの設定を通知する（７０８）。
【００５６】
ユーザーによるオフラインフィニッシングの設定を通知されたＣＰＵ３０１は先にＤＲＡＭ３０４に保存した用紙サイズ８０１、用紙種類８０２、枚数８０３のデータと操作部Ｉ／Ｆ３２０を介して通知されてきたオフラインフィニッシングの設定から、オフラインフィニッシングの実行が可能かどうかを判定する（７０９）。
【００５７】
図１０はＨＤＤ３２１に格納されているデータをＤＲＡＭ３０４に展開した用紙に関する用紙データベース１０００であり、用紙情報１００７は用紙のＩＤ１００１、名称１００２、坪量１００３、表面性１００４、特徴１００５、色１００６のフィールドから構成されている。
【００５８】
ＣＰＵ３０１は前述のようにＤＲＡＭ３０４に保存されている用紙サイズ８０１、用紙種類８０２、枚数８０３で入力された情報のうち、用紙種類８０２で入力された用紙の名称を元に用紙データベース１０００の用紙情報１００７から用紙種類８０２で入力された用紙の坪量、表面性、特徴を算出する。
【００５９】
図１１はＨＤＤ３２１に格納されているデータをＤＲＡＭ３０４に展開した用紙毎とオフラインフィニッシングモードの組合せの可否を管理する禁則データベース１１００であり、用紙の名称１１０１、坪量１１０２、表面性１１０３、形状１１０４と用紙のサイズ１１０５と、オフラインフィニッシングモードの禁則情報１１０６のフィールドから構成されている。
【００６０】
ＣＰＵ３０１はＤＲＡＭ３０４に保存されている用紙サイズ８０１と前述の用紙データベース１０００から算出された用紙の坪量、表面性、特徴を用いて禁則データベースを検索し、対応する禁則情報１１０６を算出する。
【００６１】
ＣＰＵ３０１は算出された禁則情報１１０６とＤＲＡＭ３０４に保存されているホチキス８０６、Ｚ折り８０７、Ｃ折り８０８、パンチ穴８０９をユーザーが選択したことにより設定されたオフラインフィニッシングの設定を比較して、ユーザーにより設定されたオフラインフィニッシングが実行可能かどうか判断する（７０９、７１０）。
【００６２】
ユーザーが設定したオフラインフィニッシングモードが実行できない場合には、ＣＰＵ３０１はＩ／Ｏ制御部３１８、操作部Ｉ／Ｆ３２０を介してＬＣＤパネル１５０４に図１４の警告ダイアログ１４０１を表示し（７１２）、実行可能な場合にはオフラインフィニッシングを実行するためのスタートキー１５０９がユーザーにより押下されるのを待つ（７１１）。
【符号の説明】
【００６３】
１０１  ネットワーク、１０２，１０３，１０４  複合複写機、
２０１  複合複写機本体、２０２  インサーター、２０３  多機能折機、
２０４  フィニッシャー
【図１】
2018180310.tif 000003
【図２】
2018180310.tif 000004
【図３】
2018180310.tif 000005
【図４】
2018180310.tif 000006
【図５】
2018180310.tif 000007
【図６】
2018180310.tif 000008
【図７】
2018180310.tif 000009
【図８】
2018180310.tif 000010
【図９】
2018180310.tif 000011
【図１０】
2018180310.tif 000012
【図１１】
2018180310.tif 000013
【図１２】
2018180310.tif 000014
【図１３】
2018180310.tif 000015
【図１４】
2018180310.tif 000016
【図１５】
2018180310.tif 000017
【図１６】
2018180310.tif 000018